(57)【特許請求の範囲】
【請求項１】
通信端末を収容する複数の子装置と、各子装置の制御信号路及び通信路を制御する親装置とよりなる交換局で、新サービスを追加する交換サービス追加方法において、
前記新サービスを受ける加入者の通信端末を収容する新たな子装置を前記親装置に接続し、
前記新サービスの制御を行う新規装置を前記親装置に接続し、
前記親装置で前記新たな子装置の信号リンクと前記新規装置の信号リンクとを接続する
ことを特徴とする交換サービス追加方法。
【請求項２】
請求項１記載の交換サービス追加方法において、
前記親装置で前記新たな子装置の信号リンクと前記新規装置の信号リンクとを接続する際に、前記親装置で管理している前記新サービスを受ける加入者の通信端末の前記新たな子装置に収容された端子位置を、前記新規装置で管理しているトランク位置に変換する
ことを特徴とする交換機。
【請求項３】
請求項１または２記載の交換機において、
前記親装置から各子装置に対するメッセージを供給されて、前記メッセージに含まれる子装置の番号を識別して、前記新たな子装置に対するメッセージは前記新たな子装置の信号リンクに送信する
ことを特徴とする交換機。
【請求項４】
請求項１記載の交換機において、
前記親装置で、前記新たな子装置の信号リンク及び前記新規装置の信号リンクそれぞれの障害を監視し、いずれか一方の障害時には他方との接続を停止する
ことを特徴とする交換機。
【請求項５】
通信端末を収容する複数の子装置と、
各子装置の制御信号路及び通信路を制御する親装置と
前記親装置に接続され新サービスを受ける加入者の通信端末を収容する新たな子装置と、
前記親装置に接続され前記新サービスの制御を行う新規装置と、
前記親装置に設けられ、前記新たな子装置の信号リンクと前記新規装置の信号リンクとを接続する信号リンク接続手段とを
有することを特徴とする交換機。
【請求項６】
請求項５記載の交換機において、
前記信号リンク接続手段は、前記親装置で管理している前記新サービスを受ける加入者の通信端末の前記新たな子装置に収容された端子位置を、前記新規装置で管理しているトランク位置に変換する変換手段を
有することを特徴とする交換機。
【請求項７】
請求項５または６記載の交換機において、
前記親装置に設けられ、前記親装置から各子装置に対するメッセージを供給されて、前記メッセージに含まれる子装置の番号を識別して、前記新たな子装置に対するメッセージは前記新たな子装置の信号リンクに送信するメッセージ送信手段を
有することを特徴とする交換機。
【請求項８】
請求項５記載の交換機において、
前記親装置に設けられ、前記新たな子装置の信号リンク及び前記新規装置の信号リンクそれぞれの障害を監視し、いずれか一方の障害時には他方との接続を停止する信号リンク監視手段
有することを特徴とする交換機。
【発明の詳細な説明】
【０００１】
【発明の属する技術分野】
本発明は、交換サービス追加方法及びその装置に関し、新たな交換サービスを追加する方法及び新たな交換サービスを追加される交換機に関する。
【０００２】
【従来の技術】
近年、電子交換機の普及により、発信者の電話番号を表示する発電番表示等のさまざまな交換サービスが開発され、電話及びデータ通信ユーザーである交換機加入者にとって便利で操作の容易なサービスが使えるようになってきた。新しいサービス導入のためには、新たな交換サービス機能に対応した交換機と、交換機ソフトウエアの変更が必要である。
【０００３】
交換機が、複数の通信端末を収容し通信端末に対する通信処理を行う複数のＬＣ（Ｌｉｎｅ  Ｃｏｎｃｅｎｔｒａｔｏｒ) と、各ＬＣの制御信号路及び通信路を制御する大型のＨＯＳＴから構成される場合、通信端末加入者に新サービス及び新機能を提供しようとすると、親装置のハードウエアの交換と新サービス実現のためのソフトウエアの開発及び入れ換えを行う必要がある。しかし、新サービスを導入するユーザーは、サービス開始初期は少ないため、初めから全部の親装置のハードウエアとソフトウエアを交換するのは、非常にコストがかかる。
【０００４】
従来は新サービス導入のため、複数のＬＣ及び回線が接続されている旧ＨＯＳＴに新サービス対応の新ＨＯＳＴを接続し、旧ＨＯＳＴで受けた呼情報を新ＨＯＳＴに転送して、旧ＨＯＳＴのサービスを含み新サービスにも対応した新ＨＯＳＴのソフトウエアで新サービスの処理を含め上記呼情報の処理を行い、新ＨＯＳＴから旧ＨＯＳＴに制御情報を転送して旧ＨＯＳＴのハードウエアを制御し、交換処理を行う方法が提案されている。
【０００５】
【発明が解決しようとする課題】
従来方法は、旧ＨＯＳＴのサービスを含み新サービスにも対応した新ＨＯＳＴのソフトウエアで新サービスの処理を含め上記呼情報の処理を行って旧ＨＯＳＴのハードウエアを制御するため、交換機に収容されている加入者の大部分が新サービスを受ける場合には有効な方法であるが、交換機に収容されている加入者の多くが旧サービスで充分と考え新サービスを希望しない場合には、新ＨＯＳＴのソフトウエアが大規模なものとなり、新サービス収容のための無駄な費用がかさむという問題がある。
【０００６】
本発明は、上記の点に鑑みなされたものであり、新サービスを受ける加入者数が少ない場合に新規装置のソフトウエアの規模が小さくて済み、新サービス収容のための無駄な費用がかからなくて済む交換サービス追加方法及びその装置を提供することを目的とする。
【０００７】
【課題を解決するための手段】
請求項１に記載の発明は、通信端末を収容する複数の子装置と、各子装置の制御信号路及び通信路を制御する親装置とよりなる交換局で、新サービスを追加する交換サービス追加方法において、
前記新サービスを受ける加入者の通信端末を収容する新たな子装置を前記親装置に接続し、
前記新サービスの制御を行う新規装置を前記親装置に接続し、
前記親装置で前記新たな子装置の信号リンクと前記新規装置の信号リンクとを接続する。
【０００８】
このように、親装置で新たな子装置の信号リンクと新規装置の信号リンクとを接続するため、新たな子装置だけの制御信号路及び通信路を新規装置で制御すれば良く、既存の複数の子装置それぞれの制御信号路及び通信路は親装置で制御されるので、新サービスを受ける加入者数が少ない場合に新規装置のソフトウエアの規模が小さくて済み、新サービス収容のための無駄な費用がかからなくて済む。
【０００９】
請求項２に記載の発明は、請求項１記載の交換サービス追加方法において、
前記親装置で前記新たな子装置の信号リンクと前記新規装置の信号リンクとを接続する際に、前記親装置で管理している前記新サービスを受ける加入者の通信端末の前記新たな子装置に収容された端子位置を、前記新規装置で管理しているトランク位置に変換する。
【００１０】
このように、親装置で管理している新たな子装置に収容された端子位置を、新規装置で管理しているトランク位置に変換するため、新たな子装置の信号リンクと新規装置の信号リンクとの接続を簡単に行うことができる。
請求項３に記載の発明は、請求項１または２記載の交換機において、
前記親装置から各子装置に対するメッセージを供給されて、前記メッセージに含まれる子装置の番号を識別して、前記新たな子装置に対するメッセージは前記新たな子装置の信号リンクに送信する。
【００１１】
このように、親装置から各子装置に対するメッセージに含まれる子装置の番号を識別して、新たな子装置に対するメッセージは新たな子装置の信号リンクに送信するため、親装置から新たな子装置にアラームやコマンドを送り、またダウンロードを行うことができ、親装置から新たな子装置の保守運用を行うことができる。
【００１２】
請求項４に記載の発明は、請求項１記載の交換機において、
前記親装置で、前記新たな子装置の信号リンク及び前記新規装置の信号リンクそれぞれの障害を監視し、いずれか一方の障害時には他方との接続を停止する。
このように、新たな子装置の信号リンク及び新規装置の信号リンクそれぞれの障害を監視し、いずれか一方の障害時には他方との接続を停止するため、一方の信号リンクの障害時に他方の信号リンクに信号メッセージが誤って送信されることを防止できる。
【００１３】
請求項５に記載の発明は、通信端末を収容する複数の子装置と、
各子装置の制御信号路及び通信路を制御する親装置と
前記親装置に接続され新サービスを受ける加入者の通信端末を収容する新たな子装置と、
前記親装置に接続され前記新サービスの制御を行う新規装置と、
前記親装置に設けられ、前記新たな子装置の信号リンクと前記新規装置の信号リンクとを接続する信号リンク接続手段とを有する。
【００１４】
このように、親装置で新たな子装置の信号リンクと新規装置の信号リンクとを接続するため、新たな子装置だけの制御信号路及び通信路を新規装置で制御すれば良く、既存の複数の子装置それぞれの制御信号路及び通信路は親装置で制御されるので、新サービスを受ける加入者数が少ない場合に新規装置のソフトウエアの規模が小さくて済み、新サービス収容のための無駄な費用がかからなくて済む。
【００１５】
請求項６に記載の発明は、請求項５記載の交換機において、
前記信号リンク接続手段は、前記親装置で管理している前記新サービスを受ける加入者の通信端末の前記新たな子装置に収容された端子位置を、前記新規装置で管理しているトランク位置に変換する変換手段を有する。
このように、親装置で管理している新たな子装置に収容された端子位置を、新規装置で管理しているトランク位置に変換するため、新たな子装置の信号リンクと新規装置の信号リンクとの接続を簡単に行うことができる。
【００１６】
請求項７に記載の発明は、請求項５または６記載の交換機において、
前記親装置に設けられ、前記親装置から各子装置に対するメッセージを供給されて、前記メッセージに含まれる子装置の番号を識別して、前記新たな子装置に対するメッセージは前記新たな子装置の信号リンクに送信するメッセージ送信手段を有する。
【００１７】
このように、親装置から各子装置に対するメッセージに含まれる子装置の番号を識別して、新たな子装置に対するメッセージは新たな子装置の信号リンクに送信するため、親装置から新たな子装置にアラームやコマンドを送り、またダウンロードを行うことができ、親装置から新たな子装置の保守運用を行うことができる。
【００１８】
請求項８に記載の発明は、請求項５記載の交換機において、
前記親装置に設けられ、前記新たな子装置の信号リンク及び前記新規装置の信号リンクそれぞれの障害を監視し、いずれか一方の障害時には他方との接続を停止する信号リンク監視手段を有する。
このように、新たな子装置の信号リンク及び新規装置の信号リンクそれぞれの障害を監視し、いずれか一方の障害時には他方との接続を停止するため、一方の信号リンクの障害時に他方の信号リンクに信号メッセージが誤って送信されることを防止できる。
【００１９】
【発明の実施の形態】
図１は本発明方法の一実施例のシステム構成図を示す。同図中、旧ＨＯＳＴ１０にはＬＣ１２1 〜１２N ，１４，１６が収容されている。ＬＣ１２1 〜１２N それぞれは旧サービスだけを利用する加入者の複数の通信端末２０を収容し、ＬＣ１４は旧サービスに新サービスを追加して利用する加入者の複数のアナログの通信端末２２を収容し、ＬＣ１６は旧サービスに新サービスを追加して利用する加入者の複数のディジタルの通信端末２４を収容する。また、旧ＨＯＳＴ１０は新ＨＯＳＴ３０に接続され、旧ＨＯＳＴ１０及び新ＨＯＳＴ３０それぞれには通信回線１１，３１が接続されている。なお、上記のＬＣ１２1 〜１２N ，１４，１６と、旧ＨＯＳＴ１０及び、新ＨＯＳＴ３０は全て、１つの交換局内に設置されている。
【００２０】
ここで、旧サービスだけの通信端末２０を収容するＬＣ１２1 については、図２（Ａ）に示すように、通信端末２０はＬＣ１２1 のＳＬＣ（Ｓｕｂｓｃｒｉｂｅｒ  Ｌｉｎｅ  Ｃａｒｄ）４０に接続され、ＳＬＣ４０にはＳＤ／ＳＣＮ（個別線信号方式の回線監視装置）４２が併設されている。通信端末２０のＳＬＣ４０を介した音声・データ通信路及びＳＤ／ＳＣＮ４２を介した制御信号路はＬＣ１２1 内でスイッチングされ、更に旧ＨＯＳＴ１０内でスイッチングされて、新ＨＯＳＴ３０を介することなく、相手局（着信加入者収容局）３５に接続される。
【００２１】
次に、新サービスを追加したアナログの通信端末２２を収容するＬＣ１４については、図２（Ｂ）に示すように、通信端末２２はＬＣ１４のＳＬＣ４０に接続され、ＳＬＣ４０にはＳＤ／ＳＣＮ４２が併設されている。通信端末２２のＳＬＣ４０を介した音声・データ通信路はＬＣ１４内でスイッチングされ、更に旧ＨＯＳＴ１０内でスイッチングされて、更に新ＨＯＳＴ３０内でスイッチングされて図示しない相手局に接続される。また、ＳＤ／ＳＣＮ４２からＣＳＥ（共通線信号制御装置）４４を介した制御信号路はＬＣ１４内でスイッチングされ、旧ＨＯＳＴ１０内でスイッチングされることなく新ＨＯＳＴ３０に接続され、新ＨＯＳＴ３０内でスイッチングされて図示しない相手局に接続される。
【００２２】
また、新サービスを追加したディジタルの通信端末２４を収容するＬＣ１６については、図２（Ｃ）に示すように、通信端末２４はＬＣ１６のＤＬＣ（Ｄｉｇｉｔａｌ  Ｓｕｂｓｃｒｉｂｅｒ  Ｌｉｎｅ  Ｃａｒｄ）４６に接続され、ＳＬＣ４０にはＳＧＣ（Ｓｉｇｎａｌｌｉｎｇ  Ｃｏｎｔｒｏｌｌｅｒ）４８が併設されている。通信端末２４のＤＬＣ４６を介した音声・データ通信路はＬＣ１６内でスイッチングされ、更に旧ＨＯＳＴ１０内でスイッチングされて、更に新ＨＯＳＴ３０内でスイッチングされて図示しない相手局に接続される。また、ＳＧＣ４８からＣＳＥ４４を介した制御信号路はＬＣ１４内でスイッチングされ、旧ＨＯＳＴ１０内でスイッチングされることなく新ＨＯＳＴ３０に接続され、新ＨＯＳＴ３０内でスイッチングされて図示しない相手局に接続される。
【００２３】
図３は、本発明方法における旧ＨＯＳＴ１０の一実施例の機能ブロック図を示す。なお、新ＨＯＳＴ３０も同一構成である。図３において、ＭＴＰ（Ｍａｓｓａｇｅ  Ｔｒａｎｓｆｅｒ  Ｐａｒｔ）機能部５０は、各ＬＣや新ＨＯＳＴや相手局からの信号を受信する信号受信部５２と、受信した信号を解析する信号解析部５４と、各ＬＣや新ＨＯＳＴや相手局に信号を送信する信号送信部５６とを有している。
【００２４】
ＭＴＰ機能部５０の上位にはＬＣキャッピング機能部５８が設けられている。ＬＣキャッピング機能部５８は、新サービスを追加した通信端末を収容するＬＣ１４，１６と新ＨＯＳＴ３０との制御信号路及び音声・データ通信路を論理的に接続して新ＨＯＳＴ３０からＬＣ１４，１６を直接制御し、また、ＬＣ１４，１６の加入者からの音声・データ情報を新ＨＯＳＴ３０で相手局に交換し、新ＨＯＳＴ３０で課金・新規サービスを提供する。また、新ＨＯＳＴ３０からの保守運用信号をＬＣ１４，１６に送信して、新ＨＯＳＴ３０からの保守運用制御を可能とする。更に、論理的に接続した制御信号路及び音声・データ通信路を管理し、障害の場合には正常な信号路に接続された装置に障害情報を送信し、信号送信を停止させる。また、復旧時には信号送信を再開させる機能を持つ。
【００２５】
ＭＴＰ機能部５０及びＬＣキャッピング機能部５８は、ＩＳＵＰ／ＴＵＰ（ＩＳＤＮ  Ｕｓｅｒ  Ｐａｒｔ／ＴｅｌｅｐｈｏｎｅＵｓｅｒ  Ｐａｒｔ）変換部６０を介して呼処理アプリケーション部６２と接続されており、また、ＳＣＣＰ（Ｓｉｇｎａｌｌｉｎｇ  Ｃｏｎｎｅｃｔｉｏｎ  Ｃｏｎｔｒｏｌ  Ｐａｒｔ）機能部６４を介してＬＣＯＭＡＰ（ＬＣ  Ｏｐｅｒａｔｉｏｎ＆Ｍａｉｎｔｅｎａｎｃｅ  Ａｐｐｌｉｃａｔｉｏｎ  Ｐａｒｔ）部６６と接続されている。
【００２６】
また、ＭＴＰ機能部５０及びＬＣキャッピング機能部５８は、ＯＡＭコマンド分析部６８及びレスポンス受付部７０を介してＯＡＭアプリケーション機能部７２と接続されている。
図４は、旧ＨＯＳＴ１０のＬＣキャッピング機能部５８の機能概要図を示す。ここで、旧ＨＯＳＴ１０の局内信号リンクには一意的な識別子（ＮＩＤ：Ｎｅｔｗｏｒｋ  Ｉｄｅｎｔｉｆｉｅｒ）が付されており、旧ＨＯＳＴ１０のＬＣ１２1 ，１２N との局内信号リンクはＮＩＤ＝３５，３６であり、旧ＨＯＳＴ１０のＬＣ１４，１６との局内信号リンクはＮＩＤ＝３２であり、旧ＨＯＳＴ１０の新ＨＯＳＴ３０との局内信号リンクはＮＩＤ＝３３であるとする。
【００２７】
この場合、ＮＩＤ＝３５，３６の局内信号リンクからきた信号メッセージは、ＭＴＰ機能部５０からＬＣキャッピング機能部５８を経て呼処理アプリケーション部６２，ＬＣＯＭＡＰ部６６，ＯＡＭアプリケーション機能部７２等の上位アプリケーションに供給される。一方、ＮＩＤ＝３２の局内信号リンクからきた信号メッセージは、ＬＣキャッピング機能部５８で所定のメッセージ変換を行ってＮＩＤ＝３３の局内信号リンクから新ＨＯＳＴ３０に転送する。同様にＮＩＤ＝３３の局内信号リンクからのメッセージもＮＩＤ＝３２の局内信号リンクに転送する。
【００２８】
また、ＬＣ１４，１６に対する保守運用は、ＬＣ１２1 〜１２N に対する保守運用と同様に旧ＨＯＳＴ１０から行い、ファイルのダウンロードも旧ＨＯＳＴ１０から行う。このために、旧ＨＯＳＴ１０のＬＣキャッピング機能部５８は旧ＨＯＳＴ１０のアプリケーションからのアラームやコマンドやファイルのダウンロードをＮＩＤ＝３２の局内信号リンクに流すようにする。具体的には、ＬＣキャッピング機能部５８はＬＣへのメッセージ中にあるＬＣ番号をチェックし、このＬＣ番号がＬＣ１４，１６の場合にはＮＩＤ＝３２の局内信号リンクにこのメッセージを送信する。
【００２９】
図５は、旧ＨＯＳＴ１０のＬＣキャッピング機能部５８の呼処理機能の一実施例のブロック図を示す。同図中、局内メッセージ受信部５８ａは新サービスを追加したＬＣ１４，１６または新ＨＯＳＴ３０からのメッセージを受信して、局内メッセージ分析部５８ｂに供給する。局内メッセージ分析部５８ｂではメッセージが入力された局内信号リンクのＮＩＤ及びメッセージの信号リンク番号ＳＬＮ［＝ＬＳＮ（リンクセット番号）＋ＳＬＣ（信号リンクコード）］から上位アプリケーションに供給するか、新ＨＯＳＴ３０または新サービスを追加したＬＣ１４，１６向けの局内信号リンクに転送するかを分析して局内メッセージ編集部５８ｃに通知する。また、局内メッセージ分析部５８ｂでは他局から発信の着信番号ＤＮから上位アプリケーションに供給するか、新ＨＯＳＴ３０または新サービスを追加したＬＣ１４，１６向けの局内信号リンクに転送するかを分析して局内メッセージ編集部５８ｃに通知する。
【００３０】
局内メッセージ編集部５８ｃは、ＮＩＤ＝３２の局内信号リンクからきたメッセージについて、図６に示す変換テーブル５８ｄを参照して、メッセージ内のＬＣＣ（加入者端子情報）をＨＯＳＴトランク位置（トランクグループＴＧ＋トランク番号ＴＫＮに変換し、更にメッセージ内のＮＩＤを変更して、局内メッセージ送信部５８ｆより新ＨＯＳＴ３０に転送する。また、局内メッセージ編集部５８ｃは、他局から発信について、図１５に示す変換テーブル５８ｇを参照して、着信番号ＤＮをＨＯＳＴトランク位置（トランクグループＴＧ＋トランク番号ＴＫＮに変換し、更にＮＩＤを追加して局内メッセージ送信部５８ｆより新ＨＯＳＴ３０に転送する。
【００３１】
また、旧ＨＯＳＴ１０と新ＨＯＳＴ３０との間の局内信号リンクと、旧ＨＯＳＴ１０とＬＣ１４，１６間の局内信号リンクはＬＣキャッピング機能部５８により論理的に接続されているが、ＭＴＰ機能部５０では別々のリンクと認識されている。このため、新ＨＯＳＴ３０とＬＣ１４，１６間の局内信号リンクが切断されてた場合にも、新ＨＯＳＴ３０と旧ＨＯＳＴ１０間の局内信号リンクは正常とみなしメッセージを流すおそれがある。これを避けるために、局内メッセージ編集部５８ｃは図７（Ａ），（Ｂ）に示す局内信号リンク識別子接続テーブル５８ｅで論理的に接続された局内信号リンクを管理し、一方の局内信号リンクが障害のときには、これに接続される他方の局内信号リンクにメッセージを流さないようにする。図７（Ａ），（Ｂ）で局内信号リンク識別子接続テーブル５８ｅの各エレメントの先頭ビットは対象リンク実装フラグとされており、このフラグは値１が実装を表し、値０が未実装を表している。
【００３２】
図８は、新ＨＯＳＴ３０のＬＣキャッピング機能部５８の呼処理機能の一実施例のブロック図を示す。同図中、局内メッセージ受信部５９ａは呼処理アプリケーション部６２または旧ＨＯＳＴ１０からのメッセージを受信して、局内メッセージ分析部５９ｂに供給する。局内メッセージ分析部５９ｂではメッセージが入力された局内信号リンクのＮＩＤ及びメッセージの信号リンク番号ＳＬＮ［＝ＬＳＮ（リンクセット番号）＋ＳＬＣ（信号リンクコード）］から上位アプリケーションに供給するか、旧ＨＯＳＴ１０または新サービスを追加したＬＣ１４，１６向けの局内信号リンクに転送するかを分析する。そして、ＮＩＤ＝３３の局内信号リンクから送信するメッセージは図９に示す変換テーブル５９ｃを参照して、メッセージ内のＨＯＳＴトランク位置（トランクグループＴＧ＋トランク番号ＴＫＮをＬＣＣ（加入者端子情報）に変換し、局内メッセージ送信部５９ｄより旧ＨＯＳＴ１０に転送する。
【００３３】
図１０は旧ＨＯＳＴ１０で実行する局内信号リンク間接続処理の一実施例のフローチャートを示す。同図中、ステップＳ１０で新ＨＯＳＴ３０からＮＩＤ＝３３の局内信号リンクを通して信号を受信すると、ステップＳ１２で信号解析部５４は受信信号のＮＩＤが局内信号リンク識別子接続テーブル５８ｅに登録されているか否かを判別し、登録されていなければステップＳ１４で通常処理を行う。一方、登録されていればステップＳ１６に進み、ＬＣキャッピング機能部５８の局内メッセージ受信部５８ａで信号のメッセージを受け付ける。
【００３４】
次に、ステップＳ１８で局内メッセージ編集部５８ｃはこのメッセージのＮＩＤをＮＩＤ＝３２に付け替え、ステップＳ２０で局内メッセージ送信部５８ｆはこのメッセージをＭＴＰ機能部５０に送信し、ステップＳ２２でＭＴＰ機能部５０の信号送信部５６はこのメッセージをＮＤＩ＝３２の局内信号リンクに送信する。
【００３５】
図１１は新サービスを追加したディジタルの通信端末２４からの発呼するときの通信開始処理の一実施例のフローチャートを示す。また、この場合の動作シーケンスを図１２に示す。図１１において、ステップＳ３０でＬＣ１６側の加入者の通信端末２４をオフフックすると、ステップＳ３２でＬＣ１６のＤＬＣ４６でオフフックを検出する。これにより、ステップＳ３４でＬＣ１６の呼処理部ではＳＥＴＵＰメッセージを作成し、ステップＳ３６でＬＣ１６のＳＧＣ４８から局内信号リンク（ＮＩＤ＝３２）を通して旧ＨＯＳＴ１０にこのメッセージを送信する。
【００３６】
次に、ステップＳ３８で旧ＨＯＳＴ１０の信号解析部５４は受信信号のＮＩＤが局内信号リンク識別子接続テーブル５８ｅに登録されているかを確認し、登録されていればＬＣキャッピング機能部５８に送信する。次に、ステップＳ４０で局内メッセージ編集部５８ｃは局内信号リンク識別子接続テーブル５８ｅから新ＨＯＳＴ３０側接続ＮＩＤ（ＮＩＤ＝３３）を取得して、上記メッセージのＮＩＤを新ＨＯＳＴ３０側接続ＮＩＤ（ＮＩＤ＝３３）に付け替え、図６に示す変換テーブル５８ｄを参照してメッセージ内のＬＣＣ（加入者端子情報）をＨＯＳＴトランク位置（トランクグループＴＧ＋トランク番号ＴＫＮに変換し、局内メッセージ送信部５８ｆはこのメッセージをＭＴＰ機能部５０を介して新ＨＯＳＴ３０に送信する。
【００３７】
次に、ステップＳ４２で新ＨＯＳＴ３０の信号解析部５４は受信信号のＮＩＤが局内信号リンク識別子接続テーブル５８ｅに登録されているかを確認し、登録されていればＬＣキャッピング機能部５８に送信する。ステップＳ４４で新ＨＯＳＴ３０のＬＣキャッピング機能部５８内の局内メッセージ分析部５９ｂは図９に示す変換テーブル５９ｃを参照して、メッセージ内のＨＯＳＴトランク位置（トランクグループＴＧ＋トランク番号ＴＫＮをＬＣＣ（加入者端子情報）に変換し、このＬＣＣの属性及びステータスをアイドルから発信に変更し、呼処理アプリケーション部６２に送付する。そして、ステップＳ４６で呼処理アプリケーション部６２でＳＥＴＵＰメッセージを分析し、着信加入者収容局のＨＯＳＴにイニシャル・アドレス・メッセージ（ＩＡＭ）を送信する。
【００３８】
この後、図１２に示すように、着信加入者収容局のＨＯＳＴから新ＨＯＳＴ３０にアドレスコンプリート（ＡＣＭ）が返送され、発信したＬＣ１６に対しリング・バック・トーン（ＲＢＴ）が送信される。その後、着加入者の通信端末のオフフックにより、着加入者収容局から新ＨＯＳＴ３０にアンサーチャージ（ＡＮＣ）が返送されると通信が開始される。
【００３９】
図１３は新サービスを追加したディジタルの通信端末２４のオンフックによる通信終了処理の一実施例のフローチャートを示す。また、この場合の動作シーケンスを図１２に示す。図１３において、ステップＳ５０でＬＣ１６側の加入者の通信端末２４をオンフックすると、ステップＳ５２でＬＣ１６のＤＬＣ４６でオンフックを検出する。これにより、ステップＳ５４でＬＣ１６の呼処理部ではリリース・メッセージ（ＲＥＬ）を作成し、ＬＣ１６のＳＧＣ４８から局内信号リンク（ＮＩＤ＝３２）を通して旧ＨＯＳＴ１０にこのメッセージを送信する。
【００４０】
次に、ステップＳ５６で旧ＨＯＳＴ１０の信号解析部５４は受信信号のＮＩＤが局内信号リンク識別子接続テーブル５８ｅに登録されているかを確認し、登録されていればＬＣキャッピング機能部５８に送信する。次に、ステップＳ５８で局内メッセージ編集部５８ｃは局内信号リンク識別子接続テーブル５８ｅから新ＨＯＳＴ３０側接続ＮＩＤ（ＮＩＤ＝３３）を取得して、上記メッセージのＮＩＤを新ＨＯＳＴ３０側接続ＮＩＤ（ＮＩＤ＝３３）に付け替え、図６に示す変換テーブル５８ｄを参照してメッセージ内のＬＣＣ（加入者端子情報）をＨＯＳＴトランク位置（トランクグループＴＧ＋トランク番号ＴＫＮに変換し、局内メッセージ送信部５８ｆはこのメッセージをＭＴＰ機能部５０を介して新ＨＯＳＴ３０に送信する。
【００４１】
次に、ステップＳ６０で新ＨＯＳＴ３０の信号解析部５４は受信信号のＮＩＤが局内信号リンク識別子接続テーブル５８ｅに登録されているかを確認し、登録されていればＬＣキャッピング機能部５８に送信し、新ＨＯＳＴ３０のＬＣキャッピング機能部５８内の局内メッセージ分析部５９ｂは図９に示す変換テーブル５９ｃを参照して、メッセージ内のＨＯＳＴトランク位置（トランクグループＴＧ＋トランク番号ＴＫＮをＬＣＣ（加入者端子情報）に変換し、このＬＣＣの属性及びステータスをリリース・コンプリート（ＲＬＣ）待ちに変更し、呼処理アプリケーション部６２に送付する。そして、ステップＳ６２で呼処理アプリケーション部６２の処理により、新ＨＯＳＴ３０から着信加入者収容局のＨＯＳＴにリリース・メッセージ（ＲＥＬ）を送信する。そして、図１２に示すように着信加入者収容局のＨＯＳＴからのリリース・コンプリート・メッセージ（ＲＬＣ）の受信によってＬＣＣの属性及びステータスをアイドルに変更して通信を終了する。
【００４２】
図１４は、新ＨＯＳＴ３０から制御される新サービスを追加したディジタルの通信端末２４の着信処理の一実施例の動作シーケンスを示す。図１４において、発局からＬＣ１６の収容するディジタルの通信端末２４に対して発信を行うイニシャル・アドレス・メッセージ（ＩＡＭ）が旧ＨＯＳＴ１０で受信されると、旧ＨＯＳＴ１０のＬＣキャッピング機能部５８は、上記メッセージのＮＩＤを新ＨＯＳＴ３０側接続ＮＩＤ（ＮＩＤ＝３３）に付け替え、図１５に示す変換テーブル５８ｇを参照して着信番号ＤＮをＨＯＳＴトランク位置（トランクグループＴＧ＋トランク番号ＴＫＮに変換し、局内メッセージ送信部５８ｆはこのメッセージをＭＴＰ機能部５０を介して新ＨＯＳＴ３０に送信する。
【００４３】
新ＨＯＳＴ３０では加入者情報をチェックした後、図９に示す変換テーブル５９ｃを参照して、メッセージ内のＨＯＳＴトランク位置（トランクグループＴＧ＋トランク番号ＴＫＮをＬＣＣ（加入者端子情報）に変換し、着ＬＣ（例えばＬＣ１６）までの通話路を接続すると共に、発局に対しアドレスコンプリート（ＡＣＭ）を返送する。そして、着ＬＣに呼び出し音の出力を指示し、発局に対しリング・バック・トーン（ＲＢＴ）を指示する。そして、通信端末２４のオフフックにより、新ＨＯＳＴ３０は発局に対しアンサーチャージ（ＡＮＣ）を送信して通信が開始される。
【００４４】
次に、ＬＣ１６側の加入者の通信端末２４をオンフックすると、ＬＣ１６のＤＬＣ４６でオンフックを検出し、ＬＣ１６の呼処理部ではリリース・メッセージ（ＲＥＬ）を作成し、新ＨＯＳＴ３０にこのメッセージを送信し、新ＨＯＳＴ３０はこのリリース・メッセージ（ＲＥＬ）を発局に送信する。そして、新ＨＯＳＴ３０で発局からのリリース・コンプリート・メッセージ（ＲＬＣ）が受信されて、通信が終了する。
【００４５】
図１６は、旧ＨＯＳＴ１０のＬＣキャッピング機能部５８のダウンロード機能の一実施例のブロック図を示す。同図中、図５と同一部分には同一符号を付す。ＬＣキャッピング機能部５８内の局内メッセージ受信部５８ａはＳＣＣＰ機能部６４を介してＬＣＯＭＡＰ部６６と接続されて、ＬＣＯＭＡＰ機能部６６よりダウンロードデータを供給される。このダウンロードデータは局内メッセージ分析部５８ｂに供給され、メッセージ内のＮＩＤ（ＮＩＤ＝３２または３５または３６）に応じて局内メッセージ送信部５８ｆよりＬＣ１２1 〜１２N ，１４，１６に転送する。
【００４６】
図１７は、旧ＨＯＳＴ１０のＬＣキャッピング機能部５８のコマンド処理機能の一実施例のブロック図を示す。同図中、ＯＡＭアプリケーション機能部７２から出力されるＯＡＭコマンドはＯＡＭコマンド分析部６８内のＯＡＭコマンド受け付け部６８ａで受け付けられ、コマンド分析部６８ｂで新ＨＯＳＴ３０向けか新サービスを追加したＬＣ１４，１６向けかを切り分けられ、新サービスを追加したＬＣ１４，１６向けのＯＡＭコマンドはＬＣキャッピング機能部５８内の局内メッセージ受信部５８ａから局内メッセージ分析部５８ｂに供給される。局内メッセージ分析部５８ｂでは対象のＬＣ向けのシーケンス番号を付加して局内メッセージ送信部５８ｆよりＭＴＰ機能部５０を通してＬＣ１４，１６に転送する。
【００４７】
図１８は旧ＨＯＳＴ１０が実行するＬＣファイルダウンロード処理の一実施例のフローチャートを示す。図１８において、ステップＳ７０で旧ＨＯＳＴ１０のＬＣＯＭＡＰ機能部６６はダウンロード対象ＬＣのＮＩＤ（ＮＩＤ＝３２）を設定してダウンロード開始メッセージをＳＣＣＰ機能部６４に送信する。次に、ステップＳ７２でＳＣＣＰ機能部６４はダウンロード開始メッセージをＬＣキャッピング機能部５８に送信する。
【００４８】
ステップＳ７４でＬＣキャッピング機能部５８の局内メッセージ分析部５８ｂではダウンロード対象ＬＣのＮＩＤ（ＮＩＤ＝３２）か否かを確認し、ダウンロード対象ＬＣでない場合には新サービスを追加したＬＣ１４，１６側の局内信号リンク（ＮＩＤ＝３２）を閉塞し、ダウンロード対象ＬＣの場合にはそのままで、ダウンロードデータをＭＴＰ機能部５０に供給する。
【００４９】
図１９は旧ＨＯＳＴ１０が実行するコマンド投入処理の一実施例のフローチャートを示す。図１９において、ステップＳ８０でＯＡＭコマンド分析部６８内のＯＡＭコマンド受け付け部６８ａはＯＡＭアプリケーション機能部７２から供給されるＯＡＭコマンドの受け付けを行う。次に、ステップＳ８２でコマンド分析部６８ｂは上記ＯＡＭコマンドが新ＨＯＳＴ３０向けか新サービスを追加したＬＣ１４，１６向けかを切り分け、新サービスを追加したＬＣ１４，１６向けのＯＡＭコマンドをＬＣキャッピング機能部５８内の局内メッセージ受信部５８ａから局内メッセージ分析部５８ｂに供給する。次に、ステップＳ８４で局内メッセージ分析部５８ｂでは対象のＬＣ向けのシーケンス番号を付加して局内メッセージ送信部５８ｆよりＭＴＰ機能部５０に送信する。更に、ステップＳ８６でＬＣキャッピング機能部５８内の局内メッセージ受信部５８ａで送信したＯＡＭコマンドに対する応答（レスポンス）が新サービスを追加したＬＣ１４，１６から到着した場合、局内メッセージ分析部５８ｂにて保持していたシーケンス番号を付けて、レスポンス受け付け部７０を通しＯＡＭアプリケーション部７２に送付する。
【００５０】
図２０は旧ＨＯＳＴ１０が実行する局内信号リンク管理処理の一実施例のフローチャートを示す。図２０において、ステップＳ９０でＭＴＰ機能部５０の信号解析部５４で新ＨＯＳＴ３０等から供給される局内信号リンク管理番号の応答信号（レスポンス）を受信した場合、または信号受信部５２より信号リンク障害イベントを受信する。これにより、ステップＳ９２で信号解析部５４は上記レスポンスまたは障害イベントで通知された局内信号リンクが局内信号リンク識別子接続テーブル５８ｅに登録されているか確認し、登録されている場合は該当するレスポンスまたはイベントをＬＣキャッピング機能部５８に送信する。
【００５１】
次に、ステップＳ９４でＬＣキャッピング機能部５８の局内メッセージ編集部５８ｃでは受信した障害情報がＬＣ側の場合は図７（Ｂ）に示す局内信号リンク識別子接続テーブル５８ｅの新ＨＯＳＴ側の対象リンクを障害と設定すると共に、局内メッセージ送信部５８ｆから新ＨＯＳＴ３０に対し接続リンク障害メッセージを送信して通知する。また、受信した障害情報が新ＨＯＳＴ側の局内信号リンクの場合は図７（Ａ）に示す局内信号リンク識別子接続テーブル５８ｅのＬＣ側の対象リンクを未実装と設定すると共に、ＭＴＰ機能部５０に対してもＬＣ側の局内信号リンクの状態を障害とするように通知する。
【００５２】
図２１は、局内信号リンク管理処理の一実施例の動作シーケンスを示す。図２１において、旧ＨＯＳＴ１０のＭＴＰ機能部５０で新サービスを追加したＬＣ１４，１６から信号リンク障害イベントを受信すると、ＭＴＰ機能部５０はＬＣキャッピング機能部５８に信号リンク障害通知を行い、ＬＣキャッピング機能部５８は論理局内リンク障害メッセージをＭＴＰ機能部５０経由で新ＨＯＳＴ３０に送信する。これを受信した新ＨＯＳＴ３０のＬＣキャッピング機能部５８は論理局内リンク障害をアプリケーションに通知する。
【００５３】
また、旧ＨＯＳＴ１０のＭＴＰ機能部５０で新サービスを追加したＬＣ１４，１６から信号リンク復旧イベントを受信すると、ＭＴＰ機能部５０はＬＣキャッピング機能部５８に信号リンク復旧通知を行い、ＬＣキャッピング機能部５８は論理局内リンク復旧メッセージをＭＴＰ機能部５０経由で新ＨＯＳＴ３０に送信する。これを受信した新ＨＯＳＴ３０のＬＣキャッピング機能部５８は論理局内リンク復旧をアプリケーションに通知する。
【００５４】
このように、本実施例では、旧ＨＯＳＴ１０で新サービスを追加したＬＣ１４，１６の信号リンクと新ＨＯＳＴ３０の信号リンクとを接続するため、ＬＣ１４，１６だけの制御信号路及び通信路を新ＨＯＳＴ３０で制御すれば良く、既存のＬＣ１２1 〜１２N それぞれの制御信号路及び通信路は旧ＨＯＳＴ１０で制御されるので、新サービスを受ける加入者数が少ない場合に新ＨＯＳＴ３０のソフトウエアの規模が小さくて済み、新サービス収容のための無駄な費用がかからなくて済む。図２２は、交換機の加入者数に対する本発明のＬＣキャッピング機能部５８を用いるＬＣキャッピング方法の有効範囲と、従来方法の有効範囲とを示している。この図から明らかなように、従来方法は加入者数が多い場合にのみ有効なのに対し、本発明は加入者数少ない場合からが多い場合までの広い範囲で有効である。
【００５５】
また、旧ＨＯＳＴ１０で管理しているＬＣ１４，１６に収容された端子位置（ＬＣＣ）を、新ＨＯＳＴ３０で管理しているトランク位置（ＴＧ＋ＴＫＮ）に変換するため、ＬＣ１４，１６の信号リンクと新ＨＯＳＴ３０の信号リンクとの接続を簡単に行うことができる。また、旧ＨＯＳＴ１０から各ＬＣに対するメッセージに含まれるＬＣ番号を識別して、ＬＣ１４，１６に対するメッセージはＬＣ１４，１６の信号リンクに送信するため、旧ＨＯＳＴ１０からＬＣ１４，１６にアラームやコマンドを送り、またダウンロードを行うことができ、旧ＨＯＳＴ１０からＬＣ１４，１６の保守運用を行うことができる。
【００５６】
更に、ＬＣ１４，１６の信号リンク及び新ＨＯＳＴ３０の信号リンクそれぞれの障害を監視し、いずれか一方の障害時には他方との接続を停止するため、一方の信号リンクの障害時に他方の信号リンクに信号メッセージが誤って送信されることを防止できる。
なお、ＬＣ１２1 〜１２N が請求項記載の子装置に対応し、旧ＨＯＳＴ１０が親装置に対応し、ＬＣ１４，１６が新たな子装置に対応し、新ＨＯＳＴ３０が新規装置に対応し、ＬＣキャッピング機能部５８が信号リンク接続手段に対応し、変換テーブル５８ｄが変換手段に対応し、ステップＳ７０〜７４がメッセージ送信手段に対応し、ステップＳ９０〜９４が信号リンク監視手段に対応する。
【００５７】
【発明の効果】
上述の如く、請求項１に記載の発明は、親装置で新たな子装置の信号リンクと新規装置の信号リンクとを接続するため、新たな子装置だけの制御信号路及び通信路を新規装置で制御すれば良く、既存の複数の子装置それぞれの制御信号路及び通信路は親装置で制御されるので、新サービスを受ける加入者数が少ない場合に新規装置のソフトウエアの規模が小さくて済み、新サービス収容のための無駄な費用がかからなくて済む。
【００５８】
請求項２に記載の発明は、親装置で管理している新たな子装置に収容された端子位置を、新規装置で管理しているトランク位置に変換するため、新たな子装置の信号リンクと新規装置の信号リンクとの接続を簡単に行うことができる。
請求項３に記載の発明は、親装置から各子装置に対するメッセージに含まれる子装置の番号を識別して、新たな子装置に対するメッセージは新たな子装置の信号リンクに送信するため、親装置から新たな子装置にアラームやコマンドを送り、またダウンロードを行うことができ、親装置から新たな子装置の保守運用を行うことができる。
【００５９】
請求項４に記載の発明は、新たな子装置の信号リンク及び新規装置の信号リンクそれぞれの障害を監視し、いずれか一方の障害時には他方との接続を停止するため、一方の信号リンクの障害時に他方の信号リンクに信号メッセージが誤って送信されることを防止できる。
請求項５に記載の発明は、親装置で新たな子装置の信号リンクと新規装置の信号リンクとを接続するため、新たな子装置だけの制御信号路及び通信路を新規装置で制御すれば良く、既存の複数の子装置それぞれの制御信号路及び通信路は親装置で制御されるので、新サービスを受ける加入者数が少ない場合に新規装置のソフトウエアの規模が小さくて済み、新サービス収容のための無駄な費用がかからなくて済む。
【００６０】
請求項６に記載の発明は、親装置で管理している新たな子装置に収容された端子位置を、新規装置で管理しているトランク位置に変換するため、新たな子装置の信号リンクと新規装置の信号リンクとの接続を簡単に行うことができる。
請求項７に記載の発明は、親装置から各子装置に対するメッセージに含まれる子装置の番号を識別して、新たな子装置に対するメッセージは新たな子装置の信号リンクに送信するため、親装置から新たな子装置にアラームやコマンドを送り、またダウンロードを行うことができ、親装置から新たな子装置の保守運用を行うことができる。
【００６１】
請求項８に記載の発明は、新たな子装置の信号リンク及び新規装置の信号リンクそれぞれの障害を監視し、いずれか一方の障害時には他方との接続を停止するため、一方の信号リンクの障害時に他方の信号リンクに信号メッセージが誤って送信されることを防止できる。
【図面の簡単な説明】
【図１】本発明方法の一実施例のシステム構成図である。
【図２】各ＬＣの旧ＨＯＳＴ及び新ＨＯＳＴとの接続構成を示す図である。
【図３】本発明方法における旧ＨＯＳＴ１０の一実施例の機能ブロック図である。
【図４】旧ＨＯＳＴ１０のＬＣキャッピング機能部５８の機能概要図である。
【図５】旧ＨＯＳＴ１０のＬＣキャッピング機能部５８の呼処理機能の一実施例のブロック図である。
【図６】変換テーブル５８ｄの構成を示す図である。
【図７】局内信号リンク識別子接続テーブル５８ｅの構成を示す図である。
【図８】新ＨＯＳＴ３０のＬＣキャッピング機能部５８の呼処理機能の一実施例のブロック図である。
【図９】変換テーブル５９ｃの構成を示す図である。
【図１０】旧ＨＯＳＴ１０で実行する局内信号リンク間接続処理の一実施例のフローチャートである。
【図１１】新サービスを追加したディジタルの通信端末２４からの発呼するときの通信開始処理の一実施例のフローチャートである。
【図１２】新サービスを追加したディジタルの通信端末２４からの発呼するときの通信処理の一実施例の動作シーケンスである。
【図１３】新サービスを追加したディジタルの通信端末２４のオンフックによる通信終了処理の一実施例のフローチャートである。
【図１４】新ＨＯＳＴ３０から制御される新サービスを追加したディジタルの通信端末２４の着信処理の一実施例の動作シーケンスである。
【図１５】変換テーブル５８ｇの構成を示す図である。
【図１６】旧ＨＯＳＴ１０のＬＣキャッピング機能部５８のダウンロード機能の一実施例のブロック図である。
【図１７】旧ＨＯＳＴ１０のＬＣキャッピング機能部５８のコマンド処理機能の一実施例のブロック図である。
【図１８】旧ＨＯＳＴ１０が実行するＬＣファイルダウンロード処理の一実施例のフローチャートである。
【図１９】旧ＨＯＳＴ１０が実行するコマンド投入処理の一実施例のフローチャートである。
【図２０】旧ＨＯＳＴ１０が実行する局内信号リンク管理処理の一実施例のフローチャートである。
【図２１】局内信号リンク管理処理の一実施例の動作シーケンスである。
【図２２】交換機の加入者数に対する本発明方法と従来方法との有効範囲を示す図である。
【符号の説明】
１０  旧ＨＯＳＴ
１２1 〜１２N ，１４，１６  ＬＣ
２０，２２，２４  通信端末
３０  新ＨＯＳＴ
５０  ＭＴＰ機能部
５２  信号受信部
５４  信号解析部
５６  信号送信部
５８  ＬＣキャッピング機能部
５８ａ，５９ａ  局内メッセージ受信部
５８ｂ，５９ｂ  局内メッセージ分析部
５８ｃ  局内メッセージ編集部
５８ｄ，５８ｄ，５９ｃ  変換テーブル
５８ｆ，５９ｄ  局内メッセージ送信部
６２  呼処理アプリケーション部
６６  ＬＣＯＭＡＰ部
６８  ＯＡＭコマンド分析部
７０  レスポンス受付部
【図１】
0004083948.tif 000002
【図２】
0004083948.tif 000003
【図３】
0004083948.tif 000004
【図４】
0004083948.tif 000005
【図５】
0004083948.tif 000006
【図６】
0004083948.tif 000007
【図７】
0004083948.tif 000008
【図８】
0004083948.tif 000009
【図９】
0004083948.tif 000010
【図１０】
0004083948.tif 000011
【図１１】
0004083948.tif 000012
【図１２】
0004083948.tif 000013
【図１３】
0004083948.tif 000014
【図１４】
0004083948.tif 000015
【図１５】
0004083948.tif 000016
【図１６】
0004083948.tif 000017
【図１７】
0004083948.tif 000018
【図１８】
0004083948.tif 000019
【図１９】
0004083948.tif 000020
【図２０】
0004083948.tif 000021
【図２１】
0004083948.tif 000022
【図２２】
0004083948.tif 000023